(57)【要約】【課題】画像データを処理するジョブにて、処理された画像データを種別判別することで異なる記憶容量のログ情報を生成し、ログ情報として記憶蓄積する全体の記憶容量を低減すると共に追跡調査も可能にする。【解決手段】ジョブ実行手段１及びこれを制御する制御装置を有する画像処理装置であって、前記制御装置は、ジョブの実行履歴情報をログ情報として生成するログ情報生成手段２と、ログ情報記憶手段８とを備え、ログ情報生成手段２は、処理された画像データを判別する画像データ種別判別手段３と、この判別結果に基づいて保存用画像データ及びその元になる画像データの少なくとも一方から該当するジョブを検索するための検索情報を生成する検索情報生成手段５と、ジョブを特定するための特定情報を生成する特定情報生成手段６と、前記保存用画像データ、前記検索情報及び前記特定情報を相互に関連付ける関連付け手段７とを具備する。【選択図】図１
2008167025.tif 000002
【特許請求の範囲】
【請求項１】
画像データの作像処理を実行可能なジョブ実行手段及びこのジョブ実行手段を制御する制御装置を有する画像処理装置であって、
前記制御装置は、
前記ジョブ実行手段によって実行されたジョブの実行履歴情報をログ情報として生成するログ情報生成手段と、
このログ情報生成手段にて生成されたログ情報を記憶蓄積するログ情報記憶手段とを備え、
ログ情報生成手段は、
前記ジョブ実行手段にて処理された画像データが予め規定された画像データの種別判別条件に該当するか否かを判別する画像データ種別判別手段と、
この画像データ種別判別手段の判別結果に基づいて前記ジョブ実行手段にて処理された画像データから夫々異なる保存用画像データを生成する保存用画像データ生成手段と、
この保存用画像データ生成手段にて生成された保存用画像データ及びその元になる前記ジョブ実行手段にて処理された画像データの少なくとも一方から該当するジョブを検索するための検索情報を生成する検索情報生成手段と、
前記ジョブ実行手段によって実行されたジョブを特定するための特定情報を生成する特定情報生成手段と、
前記保存用画像データ、前記検索情報及び前記特定情報を相互に関連付ける関連付け手段とを具備することを特徴とする画像処理装置。
【請求項２】
請求項１記載の画像処理装置において、
前記画像データ種別判別手段の種別判別条件は、画像データに対する文字列、画像及びフォームのうち、少なくともいずれか１種以上の範疇に属する条件にて設定されることを特徴とする画像処理装置。
【請求項３】
請求項１記載の画像処理装置において、
前記保存用画像データ生成手段は、処理された画像データが前記画像データ種別判別手段にて種別判別条件に該当しないと判別された場合には、該当すると判別された場合よりデータ量の小さい保存用画像データを生成することを特徴とする画像処理装置。
【請求項４】
請求項１記載の画像処理装置において、
前記検索情報生成手段は、処理された画像データが前記画像データ種別判別手段にて種別判別条件に該当しないと判別された場合には、該当すると判別された場合より少ないデータ数の検索情報を生成することを特徴とする画像処理装置。
【請求項５】
請求項１記載の画像処理装置のうち原稿画像を読み取る画像読取手段を備える態様において、
更に、前記画像読取手段にて原稿から読み取られた画像データに基づいて前記ログ情報記憶手段に記憶蓄積されたログ情報から保存用画像データ及び検索情報との一致度を算出して該当するジョブを特定する検索処理手段を備えることを特徴とする画像処理装置。
【請求項６】
画像データの作像処理を実行可能なジョブ実行手段及びこのジョブ実行手段を制御する制御装置を有する画像処理装置と、この画像処理装置に対し通信手段にて接続されたサーバ装置とを備え、前記画像処理装置による画像データが処理されたジョブの実行履歴情報をログ情報として記憶蓄積可能な画像処理システムであって、
前記画像処理装置及び前記サーバ装置の少なくともいずれか一方は、
前記ジョブ実行手段によって実行されたジョブの実行履歴情報をログ情報として生成するログ情報生成手段及びこのログ情報生成手段にて生成されたログ情報を記憶蓄積するログ情報記憶手段のいずれかを備え、
ログ情報生成手段は、
前記ジョブ実行手段にて処理された画像データが予め規定された画像データの種別判別条件に該当するか否かを判別する画像データ種別判別手段と、
この画像データ種別判別手段の判別結果に基づいて前記ジョブ実行手段にて処理された画像データから夫々異なる保存用画像データを生成する保存用画像データ生成手段と、
この保存用画像データ生成手段にて生成された保存用画像データ及びその元になる前記ジョブ実行手段にて処理された画像データの少なくとも一方から該当するジョブを検索するための検索情報を生成する検索情報生成手段と、
前記ジョブ実行手段によって実行されたジョブを特定するための特定情報を生成する特定情報生成手段と、
前記保存用画像データ、前記検索情報及び前記特定情報を相互に関連付ける関連付け手段とを具備することを特徴とする画像処理システム。
【請求項７】
請求項６記載の画像処理システムのうち画像処理装置が原稿画像を読み取る画像読取手段を備える態様において、
更に、画像処理装置及びサーバ装置の少なくともいずれか一方は、前記画像読取手段にて原稿から読み取られた画像データに基づいて前記ログ情報記憶手段に記憶蓄積されたログ情報から保存用画像データ及び検索情報との一致度を算出して該当するジョブを特定する検索処理手段を備えることを特徴とする画像処理システム。
【請求項８】
画像データを処理するジョブの実行履歴情報をログ情報として記憶蓄積可能な画像処理プログラムであって、
画像データの作像処理を実行可能なジョブ実行手段及びこのジョブ実行手段を制御する制御装置を有する画像処理装置内のコンピュータ、あるいは、当該画像処理装置と通信手段にて接続されたコンピュータを、
前記ジョブ実行手段によって実行されたジョブの実行履歴情報をログ情報として生成するログ情報生成手段と、
このログ情報生成手段にて生成されたログ情報を記憶蓄積するログ情報記憶手段とを機能させ、
ログ情報生成手段は、
前記ジョブ実行手段にて処理された画像データが予め規定された画像データの種別判別条件に該当するか否かを判別する画像データ種別判別手段と、
この画像データ種別判別手段の判別結果に基づいて前記ジョブ実行手段にて処理された画像データから夫々異なる保存用画像データを生成する保存用画像データ生成手段と、
この保存用画像データ生成手段にて生成された保存用画像データ及びその元になる前記ジョブ実行手段にて処理された画像データの少なくとも一方から該当するジョブを検索するための検索情報を生成する検索情報生成手段と、
前記ジョブ実行手段によって実行されたジョブを特定するための特定情報を生成する特定情報生成手段と、
前記保存用画像データ、前記検索情報及び前記特定情報を相互に関連付ける関連付け手段として機能させることを特徴とする画像処理プログラム。
【請求項９】
画像データを処理するジョブの実行履歴情報をログ情報として記憶蓄積可能な画像処理方法であって、
画像データの作像処理を実行するジョブ実行ステップと、
ジョブ実行ステップにて処理されたジョブの実行履歴情報をログ情報として生成するログ情報生成ステップと、
このログ情報生成ステップにて生成されたログ情報を記憶蓄積するログ情報記憶ステップとを有し、
前記ログ情報生成ステップは、
ジョブ実行ステップにて処理された画像データが予め規定された画像データの種別判別条件に該当するか否かを判別する画像データ種別判別ステップと、
この画像データ種別判別ステップによる判別結果に基づいてジョブ実行ステップにて処理された画像データから夫々異なる保存用画像データを生成する保存用画像データ生成ステップと、
この保存用画像データ生成ステップにて生成された保存用画像データ及びその元になる前記ジョブ実行ステップにて処理された画像データの少なくとも一方から該当するジョブを検索するための検索情報を生成する検索情報生成ステップと、
前記ジョブ実行ステップにて実行されたジョブを特定するための特定情報を生成する特定情報生成ステップと、
前記保存用画像データ、前記検索情報及び前記特定情報を相互に関連付ける関連付けステップとを含むことを特徴とする画像処理方法。
【発明の詳細な説明】
【技術分野】
【０００１】
本発明は、画像データを処理するジョブが実行される画像処理装置、画像処理システム、画像処理プログラム及び画像処理方法の改良に関する。
【背景技術】
【０００２】
近年、画像データを処理するジョブが実行される画像処理装置として、例えばスキャン機能、コピー機能、プリント機能、ＦＡＸ機能等を統合した複合機が広く知られている。このような画像処理装置では、画像データの読み取り、プリント出力、ＦＡＸ送信等といったジョブを実行することができることから、その普及に伴って複写禁止文書が出力される等の情報漏洩の危険性も高まってきている。そのため、画像処理装置側にこのような情報漏洩が発生したときの出力履歴を追跡調査できるような機能を備えることが求められている。
【０００３】
このような目的に対し、情報漏洩した文書を、誰が、いつ、どこで出力したかをチェックできるようにすべく、画像データを処理したジョブの実行履歴をログ情報として記憶蓄積するように構成された画像処理装置が提案されている（例えば特許文献１，２参照）。尚、ログ情報としては、画像そのものに相当する画像情報を記憶蓄積する方式（例えば特許文献１参照）や、画像に含まれるテキストデータを抽出して記憶蓄積する方式（例えば特許文献２参照）が提案されている。
【０００４】
【特許文献１】特開平０６−２７０４７７号公報（実施例、図３）
【特許文献２】特開２００５−１５７５６９号公報（第１の実施形態、図４）
【発明の開示】
【発明が解決しようとする課題】
【０００５】
本発明の技術的課題は、画像データを処理するジョブにて、処理された画像データを種別判別することで異なる記憶容量のログ情報を生成し、ログ情報として記憶蓄積する全体の記憶容量を低減すると共に追跡調査も可能にする画像処理装置、画像処理システム、画像処理プログラム及び画像処理方法を提供することにある。
【課題を解決するための手段】
【０００６】
すなわち、請求項１に係る発明は、画像データの作像処理を実行可能なジョブ実行手段及びこのジョブ実行手段を制御する制御装置を有する画像処理装置であって、前記制御装置は、前記ジョブ実行手段によって実行されたジョブの実行履歴情報をログ情報として生成するログ情報生成手段と、このログ情報生成手段にて生成されたログ情報を記憶蓄積するログ情報記憶手段とを備え、ログ情報生成手段は、前記ジョブ実行手段にて処理された画像データが予め規定された画像データの種別判別条件に該当するか否かを判別する画像データ種別判別手段と、この画像データ種別判別手段の判別結果に基づいて前記ジョブ実行手段にて処理された画像データから夫々異なる保存用画像データを生成する保存用画像データ生成手段と、この保存用画像データ生成手段にて生成された保存用画像データ及びその元になる前記ジョブ実行手段にて処理された画像データの少なくとも一方から該当するジョブを検索するための検索情報を生成する検索情報生成手段と、前記ジョブ実行手段によって実行されたジョブを特定するための特定情報を生成する特定情報生成手段と、前記保存用画像データ、前記検索情報及び前記特定情報を相互に関連付ける関連付け手段とを具備する画像処理装置である。
【０００７】
請求項２に係る発明は、請求項１に係る画像処理装置において、前記画像データ種別判別手段の種別判別条件は、画像データに対する文字列、画像及びフォームのうち、少なくともいずれか１種以上の範疇に属する条件にて設定される画像処理装置である。
請求項３に係る発明は、請求項１に係る画像処理装置において、前記保存用画像データ生成手段は、処理された画像データが前記画像データ種別判別手段にて種別判別条件に該当しないと判別された場合には、該当すると判別された場合よりデータ量の小さい保存用画像データを生成する画像処理装置である。
請求項４に係る発明は、請求項１に係る画像処理装置において、前記検索情報生成手段は、処理された画像データが前記画像データ種別判別手段にて種別判別条件に該当しないと判別された場合には、該当すると判別された場合より少ないデータ数の検索情報を生成する画像処理装置である。
請求項５に係る発明は、請求項１に係る画像処理装置のうち原稿画像を読み取る画像読取手段を備える態様において、更に、前記画像読取手段にて原稿から読み取られた画像データに基づいて前記ログ情報記憶手段に記憶蓄積されたログ情報から保存用画像データ及び検索情報との一致度を算出して該当するジョブを特定する検索処理手段を備える画像処理装置である。
【０００８】
請求項６に係る発明は、画像データの作像処理を実行可能なジョブ実行手段及びこのジョブ実行手段を制御する制御装置を有する画像処理装置と、この画像処理装置に対し通信手段にて接続されたサーバ装置とを備え、前記画像処理装置による画像データが処理されたジョブの実行履歴情報をログ情報として記憶蓄積可能な画像処理システムであって、前記画像処理装置及び前記サーバ装置の少なくともいずれか一方は、前記ジョブ実行手段によって実行されたジョブの実行履歴情報をログ情報として生成するログ情報生成手段及びこのログ情報生成手段にて生成されたログ情報を記憶蓄積するログ情報記憶手段のいずれかを備え、ログ情報生成手段は、前記ジョブ実行手段にて処理された画像データが予め規定された画像データの種別判別条件に該当するか否かを判別する画像データ種別判別手段と、この画像データ種別判別手段の判別結果に基づいて前記ジョブ実行手段にて処理された画像データから夫々異なる保存用画像データを生成する保存用画像データ生成手段と、この保存用画像データ生成手段にて生成された保存用画像データ及びその元になる前記ジョブ実行手段にて処理された画像データの少なくとも一方から該当するジョブを検索するための検索情報を生成する検索情報生成手段と、前記ジョブ実行手段によって実行されたジョブを特定するための特定情報を生成する特定情報生成手段と、前記保存用画像データ、前記検索情報及び前記特定情報を相互に関連付ける関連付け手段とを具備する画像処理システムである。
【０００９】
請求項７に係る発明は、請求項６に係る画像処理システムのうち画像処理装置が原稿画像を読み取る画像読取手段を備える態様において、更に、画像処理装置及びサーバ装置の少なくともいずれか一方は、前記画像読取手段にて原稿から読み取られた画像データに基づいて前記ログ情報記憶手段に記憶蓄積されたログ情報から保存用画像データ及び検索情報との一致度を算出して該当するジョブを特定する検索処理手段を備える画像処理システムである。
【００１０】
請求項８に係る発明は、画像データを処理するジョブの実行履歴情報をログ情報として記憶蓄積可能な画像処理プログラムであって、画像データの作像処理を実行可能なジョブ実行手段及びこのジョブ実行手段を制御する制御装置を有する画像処理装置内のコンピュータ、あるいは、当該画像処理装置と通信手段にて接続されたコンピュータを、前記ジョブ実行手段によって実行されたジョブの実行履歴情報をログ情報として生成するログ情報生成手段と、このログ情報生成手段にて生成されたログ情報を記憶蓄積するログ情報記憶手段とを機能させ、ログ情報生成手段は、前記ジョブ実行手段にて処理された画像データが予め規定された画像データの種別判別条件に該当するか否かを判別する画像データ種別判別手段と、この画像データ種別判別手段の判別結果に基づいて前記ジョブ実行手段にて処理された画像データから夫々異なる保存用画像データを生成する保存用画像データ生成手段と、この保存用画像データ生成手段にて生成された保存用画像データ及びその元になる前記ジョブ実行手段にて処理された画像データの少なくとも一方から該当するジョブを検索するための検索情報を生成する検索情報生成手段と、前記ジョブ実行手段によって実行されたジョブを特定するための特定情報を生成する特定情報生成手段と、前記保存用画像データ、前記検索情報及び前記特定情報を相互に関連付ける関連付け手段として機能させる画像処理プログラムである。
【００１１】
請求項９に係る発明は、画像データを処理するジョブの実行履歴情報をログ情報として記憶蓄積可能な画像処理方法であって、画像データの作像処理を実行するジョブ実行ステップと、ジョブ実行ステップにて処理されたジョブの実行履歴情報をログ情報として生成するログ情報生成ステップと、このログ情報生成ステップにて生成されたログ情報を記憶蓄積するログ情報記憶ステップとを有し、前記ログ情報生成ステップは、ジョブ実行ステップにて処理された画像データが予め規定された画像データの種別判別条件に該当するか否かを判別する画像データ種別判別ステップと、この画像データ種別判別ステップによる判別結果に基づいてジョブ実行ステップにて処理された画像データから夫々異なる保存用画像データを生成する保存用画像データ生成ステップと、この保存用画像データ生成ステップにて生成された保存用画像データ及びその元になる前記ジョブ実行ステップにて処理された画像データの少なくとも一方から該当するジョブを検索するための検索情報を生成する検索情報生成ステップと、前記ジョブ実行ステップにて実行されたジョブを特定するための特定情報を生成する特定情報生成ステップと、前記保存用画像データ、前記検索情報及び前記特定情報を相互に関連付ける関連付けステップとを含む画像処理方法である。
【発明の効果】
【００１２】
請求項１に係る発明によれば、画像データが処理されたジョブの実行履歴を容易に記憶蓄積することができると共に情報漏洩等の適切な予防を行うことが可能になると共に、文書の情報漏洩等に対する重要度を選択することができるようになり、利用者の利便性も向上する。
請求項２に係る発明によれば、画像データに対するより細分化された種別判別が可能になる。
請求項３に係る発明によれば、処理された画像データによって保存するデータ量を可変することができ、ログ情報の容量を小さくすることができると共に重要な画像データに対する検索性も確保される。
請求項４に係る発明によれば、実行されたジョブを検索するための検索情報としてより精度の高い情報が得られ、より精度の高い追跡調査が可能になる。
請求項５に係る発明によれば、当該画像処理装置にて追跡調査時の検索処理を行うことができるようになる。
【００１３】
請求項６に係る発明によれば、請求項１に係る発明の効果と同様の効果が得られる画像処理システムが構築できる。
請求項７に係る発明によれば、追跡調査時の検索処理を行うことが容易になる。
請求項８に係る発明によれば、請求項１に係る発明の効果と同様の効果が得られる画像処理プログラムが実現できるようになる。
請求項９に係る発明によれば、請求項１に係る発明の効果と同様の効果が得られる画像処理方法を実現できるようになる。
【発明を実施するための最良の形態】
【００１４】
先ず、本発明が適用される実施の形態モデルの概要について説明する。
◎実施の形態モデルの概要
図１は、本発明を具現化する実施の形態モデルに係る画像処理装置の概要を示すブロック図である。
同図において、画像処理装置の代表的モデルの一つは、画像データの作像処理を実行可能なジョブ実行手段１及びこのジョブ実行手段１を制御する制御装置を有する画像処理装置であって、前記制御装置は、前記ジョブ実行手段１によって実行されたジョブの実行履歴情報をログ情報として生成するログ情報生成手段２と、このログ情報生成手段２にて生成されたログ情報を記憶蓄積するログ情報記憶手段８とを備え、ログ情報生成手段２は、前記ジョブ実行手段１にて処理された画像データが予め規定された判別条件を満たすものか否かを判別する画像データ種別判別手段３と、この画像データ種別判別手段３による判別結果に基づいて処理された画像データから保存すべき保存用画像データを生成する保存用画像データ生成手段４と、この保存用画像データ生成手段４にて生成された保存用画像データ及びその元になる前記ジョブ実行手段１にて処理された画像データの少なくとも一方から該当するジョブを検索するための検索情報を生成する検索情報生成手段５と、前記ジョブ実行手段１によって実行されたジョブを特定するための特定情報を生成する特定情報生成手段６と、前記保存用画像データ、前記検索情報及び前記特定情報を相互に関連付ける関連付け手段７とを具備している。
ここで、ジョブとは、画像処理装置で実行される処理動作を意味するものであり、また、ログとは、この処理動作に関する情報の履歴を意味するものである。
【００１５】
本実施の形態モデルのジョブ実行手段１は、例えば画像処理装置が原稿画像を読み取る画像読取手段を備え、この画像読取手段によって原稿から読み込まれたデータを画像データとして処理するようにしてもよいし、当該画像処理装置の外部からもたらされる画像データを処理するものであってもよい。
また、ジョブ実行手段１は、少なくとも画像データの作像処理を可能とするものであり、実行されるジョブとしては、例えば、画像読取ジョブ、コピー出力ジョブ、プリント出力ジョブ、ＦＡＸ送信ジョブ等といった画像データを作像処理する機能を有しており、画像処理装置内で画像データを扱うことができる機能を有するものであればよい。
【００１６】
そして、ジョブ実行手段１、画像データ種別判別手段３、保存用画像データ生成手段４、検索情報生成手段５、特定情報生成手段６、関連付け手段７及びログ情報記憶手段８は、同一画像処理装置に設けられていてもよいし、複数の画像処理装置に分散されて設けられていてもよく、更には、複数の画像処理装置に重複して設けられるようになっていても差し支えないが、より効率的なログ情報生成を行う観点からすれば、ログ情報生成手段２、すなわち、画像データ種別判別手段３、保存用画像データ生成手段４、検索情報生成手段５、特定情報生成手段６及び関連付け手段７は一つの画像処理装置にまとめて設けられることが好ましい。
【００１７】
また、検索情報生成手段５は、保存用画像データ生成手段４にて生成された保存用画像データを元に検索情報を生成するようにしてもよいし、この保存用画像データ及びその元となる画像データの双方から、夫々検索情報を生成するようにしてもよい。更には、元となる画像データのみから検索情報を生成するようにしても差し支えない。
【００１８】
以下、添付図面に示す実施の形態に基づいてこの発明をより詳細に説明する。
◎実施の形態１
図２は、本発明が適用された実施の形態の画像処理装置の概略構成を示す。本実施の形態の画像処理装置１０は、スキャン機能（画像読み取り機能）、コピー機能、プリント機能、ＦＡＸ機能が備えられた所謂複合機となっている。
同図において、画像処理装置１０は、中央に記録材上に画像を形成する作像部１１を配し、その下方に作像部１１にて画像が形成される記録材を供給する複数の記録材供給部材１２（本例では４個の１２ａ〜１２ｄ）を備え、上部には、原稿画像を読み取る画像読取手段としての画像読取部１４と、この画像読取部１４の上部に画像読取部１４のプラテンガラス上の画像読み取り位置に原稿を送り込む自動原稿送り装置１５とを備えたものとなっている。そして、画像読取部１４と作像部１１との間には、記録材供給部材１２から供給された記録材上に作像部１１にて画像形成がなされた記録材が排出収容される収容部材１３が形成されている。また、画像読取部１４の一部には、操作部１６が設けられ、各種処理を手動操作できるようになっている。尚、図中符号２０は、画像処理装置１０内の各種処理を制御する制御装置となっている。
【００１９】
以上のように、本実施の形態の画像処理装置１０は、画像読取ジョブ、コピー出力ジョブ、プリント出力ジョブ、ＦＡＸ送信ジョブのいずれかの画像データに対するジョブを実行する実行機能を備えたものとなっている。尚、ここでいう「画像データ」とは、ジョブで処理された画像を特定するためのデータであり、そのデータフォーマット等は特に限定されるものではない。
【００２０】
ここで、「ログ情報」について簡単に説明する。ログ情報とは、画像処理装置１０で実行されたジョブの内容を表す情報に相当するものであり、実行されたジョブにて処理された画像データを特定する情報、該当するジョブを検索するための検索情報並びに実行されたジョブを特定する特定情報とで構成されるものである。
ここで、「画像データを特定」する情報としては、例えば処理された画像データそのものを用いるようにしてもよい。この場合、画像データはジョブにて処理されたそのものであっても、あるいは、データ圧縮等のデータ量削減処理を経た後のものであってもよい。更には、画像データそのものではなく、その画像データの例えば格納先に関する情報（格納先の箇所名、ファイル名、ＵＲＬ（Uniform Resource Locator）情報等）を用いて「画像データを特定」するようにしてもよい。
【００２１】
また、「該当するジョブを検索」するための検索情報としては、画像データをＯＣＲ（Optical Character Recognition）処理することによって得られるテキスト情報や画像データから抽出される画像特徴量等が挙げられる。更には、ジョブでの処理対象となる原稿画像に当該原稿画像を識別するためのコード情報がバーコード、ＱＲコード（二次元コード）や電子透かし（digital watermarking）等によって埋め込まれている場合には、そのコード情報をログ情報に含めるようにしてもよく、コード情報を「該当するジョブを検索」するための検索情報の一つとして利用するようにしても差し支えない。
そして、「実行されたジョブを特定」する特定情報としては、例えばジョブの依頼者（ユーザ）や処理実行日時等といったジョブ属性に関する情報（以下「ジョブ属性情報」という）が挙げられる。尚、ジョブ属性情報としては、ジョブの実行時におけるＵＩ設定認識やカード認証等、公知の手法を利用して、その情報の取得を行えばよい。
そして、このようなログ情報は、実行されたジョブで処理された画像１枚毎に、すなわち、画像データの１ページ毎に生成される（ジョブ単位に生成することも可能であるが、本例では画像１枚毎とする）。そして、後述するように、この生成されたログ情報が具体的な実行履歴の追跡調査等に使用される。
【００２２】
＜制御系＞
次に、このような画像処理装置１０内のログ情報を生成する制御系について説明する。
図３は、本実施の形態における画像処理装置１０の機能ブロック図の概要を示したものであり、画像処理装置１０内の各種処理を制御する制御装置２０と、この制御装置２０の入力側に設けられた原稿走査機能（スキャナ機能）を有する画像読取部１４と、出力側に設けられた作像部１１とで構成されている。本実施の形態では、制御装置２０に伝達される画像データとしては、画像読取部１４にて読み込まれたデータの態様や、図示外の外部機器から伝達される画像データ（例えば画像処理装置１０がプリンタ機能として働く場合の外部データ）の態様がある。更に、本実施の形態では、画像読取部１４に設けられた操作部１６から各種設定を行うようになっている。
【００２３】
また、制御装置２０は、ＣＰＵやＲＯＭ、ＲＡＭ、各種インタフェース等によるコンピュータシステムによって構成され、所定のプログラムによって稼働されるようになっており、画像処理装置１０での各種作像制御を行うと共に、特に、本実施の形態では、画像データに対する各種処理を制御する機能を備えている。
すなわち、画像データの処理を行うジョブ実行部２１、ジョブ実行部２１で実行されたジョブの実行履歴情報をログ情報として生成するログ情報生成部２２、この生成されたログ情報を記憶蓄積するログ情報記憶部２８、検索元原稿に基づいてログ情報記憶部２８内に記憶蓄積されたログ情報から一致度を算出して該当するジョブを特定する検索処理部２９とを少なくとも含んで構成されている。そして、ログ情報生成部２２は、ジョブ実行部２１にて処理された画像データが予め規定された画像データの種別判別条件に該当するか否かを判別する画像データ種別判別部２３と、この画像データ種別判別部２３の判別結果に基づいてジョブ実行部２１にて処理された画像データから夫々異なった保存用画像データを生成する保存用画像データ生成部２４と、この保存用画像データ生成部２４にて生成された保存用画像データ及びその元になるジョブ実行部２１にて処理された画像データから該当するジョブを検索するための検索情報を夫々生成する検索情報生成部２５と、ジョブ実行部２１で実行されたジョブを特定するための特定情報を生成する特定情報生成部２６及びこれらの各情報を関連付ける関連付け部２７とで構成されている。尚、本実施の形態では、ログ情報生成部２２、ログ情報記憶部２８、検索処理部２９を一つの画像処理装置１０内に備える構成を示したが、これに限られず、検索処理部２９を他の装置（例えば他の画像処理装置、サーバ装置等）に備え、具体的な検索元原稿からの追跡調査を他の装置で行うようにしても差し支えない。この場合、ログ情報記憶部２８内のデータが使用されることは云うまでもない。
【００２４】
本実施の形態の画像データ種別判別部２３は、ジョブ実行部２１で処理された画像データに対し、この画像データが予め規定された画像データの種別判別条件に該当するか否かを判別するものであり、例えば処理された画像データが情報漏洩されては困る文書か否かを判別する機能を有している。
ここで、種別判別条件としては、例えば操作部１６等から情報漏洩されては困る文書を特定するための条件設定を行うようにすればよく、次のような例が挙げられる。例えば、文字列で「社外秘」、「住所」、「電話番号」などを設定したり、画像として「会社のロゴマーク」、「社印」や「承認印の陰影画像」などを設定したり、更には、文書フォームとして「特定の文書フォーム」などを設定する。尚、種別判別条件としては、上述の文字列、画像、文書フォームのいずれか１種類で設定するようにしてもよいし、いずれかを組み合わせ、例えば画像として「会社のロゴマーク」を有し、文字列として「社外秘」を有する文書を情報漏洩されては困る文書と設定することも可能である。
【００２５】
そして、画像データ種別判別部２３では、このような種別判別条件に基づいてジョブ実行部２１で処理された画像データが情報漏洩されては困るものかどうかを判別する。このことは、例えば種別判別条件として文字列で「社外秘」が設定されていれば、ジョブ実行部２１で処理された画像データに対しＯＣＲ処理等を施して得られた文字列内に「社外秘」が含まれるかどうかを判別する。一方、画像としての「会社のロゴマーク」が種別判別条件として設定されていれば、画像データに「会社のロゴマーク」が含まれるかどうかを画像認識手法によって判別するようにすればよい。更には、文書フォームとしての「特定の文書フォーム」が種別判別条件として設定されていれば、画像データに対し「特定の文書フォーム」の画像かどうかをフォーム認識によって判別するようにすればよい。尚、ここでいう画像認識やフォーム認識は公知の技術を利用すればよいことは云うまでもない。
また、本実施の形態では、画像処理装置１０に種別判別条件を設定する機能が備わった態様を示したが、これに限られず、例えば種別判別条件の設定機能を画像処理装置１０ではなく、例えば通信手段等で繋がる他の媒体からもってくるようにしてもよい。
【００２６】
そして、本実施の形態における保存用画像データ生成部２４は、画像データ種別判別部２３の判別結果に基づいてジョブ実行部２１にて処理された画像データから夫々異なる保存用画像データを生成する機能を有するものであり、画像データ種別判別部２３によって種別判別条件に該当すると判別された場合と、該当しないと判別された場合とで、互いに異なる保存用画像データを生成するようになっている。
本実施の形態では、特に、保存用画像データのデータ容量を小さくする観点から、保存用画像データ生成部２４では、ジョブ実行部２１にて処理された画像データが画像データ種別判別部２３にて種別判別条件に該当しないと判別された場合には、該当すると判別された場合よりデータ量の小さい保存用画像データを生成するようになっている。ここで、データ量を小さくする手法は特に限定されず、保存用画像を例えば低解像度の画像としたり、高圧縮率の画像とするようにすればよい。例えば、情報漏洩されては困る画像データを解像度６００ｄｐｉとし、そうではない画像データを解像度１００ｄｐｉとして保存用画像データを生成したり、あるいは、情報漏洩されては困る画像データに対して低圧縮の圧縮処理を行い、そうではない画像データに対して高圧縮の圧縮処理を行って保存用画像データを生成するようにしてもよい。
【００２７】
また、検索情報生成部２５は、保存用画像データ生成部２４にて生成された保存用画像データ及びその元になるジョブ実行部２１にて処理された画像データから該当するジョブを検索するための検索情報を生成する機能を有するものであり、検索情報として、本例では、保存用画像データから算出される画像特徴量であり、また、保存用画像データの元となる画像データ、すなわち、ジョブ実行部２１にて処理された画像データをＯＣＲ処理して得られるテキスト情報となっている。更に、検索情報生成部２５は、検索情報のデータ容量を小さくする観点から、ジョブ実行部２１にて処理された画像データが画像データ種別判別部２３にて種別判別条件に該当しないと判別された場合には、該当すると判別された場合より少ないデータ数の検索情報を生成するようにすればよい。
例えば、情報漏洩されては困る画像データの場合、画像特徴量とＯＣＲ処理にて得られたテキスト情報の全てを検索情報とし、そうではない画像データに対しては画像特徴量とＯＣＲ処理で得られるテキスト情報の一部（例えば頻度の多いもののみとするなど）を検索情報として生成するようにしている。
【００２８】
ここで、「画像特徴量」は、画像の特徴を定量的に表現したものを云い、例えば当該画像における濃度分布、エッジの存在量やその分布、各色値の分布等をヒストグラム化したものや、当該画像における画素分布をランレングスによって表したものなどがあり、また、これらを併用するようにしてもよい。
図４は、画像特徴量の一例として、画像データのサイズ等を正規化してメッシュ分割（例えば本例では１６分割）し、各分割されたメッシュ内の夫々の特徴量を算出するようにした例を示したもので、この場合、例えばメッシュ内の特徴量として平均濃度を用いるようにすれば、画像データとしては１６次元の濃度分布特徴量が得られるようになる。一方、メッシュ内の特徴量としてエッジ点数を用いるようにすれば、１６次元の濃淡変化特徴量が得られるようになる。
尚、「画像特徴量」としては、上述のものに限定されることはなく、他の公知技術による方式を用いるようにしても差し支えない。
【００２９】
また、本実施の形態での特定情報生成部２６は、ジョブ実行部２１で実行されたジョブを特定するための特定情報、すなわち、ジョブ属性情報を生成する機能を有するものであり、例えば操作部１６から入力される情報や、処理日時などのジョブ属性情報を生成する。
更に、関連付け部２７は、これらの各情報をジョブ毎に関連付けを行い、ログ情報として生成する機能を有している。
更にまた、ログ情報記憶部２８は、関連付け部２７で生成されたログ情報を記憶蓄積する機能を有している。
【００３０】
また、このような、ジョブ実行部２１、ログ情報生成部２２、ログ情報記憶部２８、検索処理部２９は、画像処理装置１０内の制御装置２０にて所定のプログラムを実行することによって実現できるようになっている。その際、画像処理装置１０へのインストールに先立ち、コンピュータが読み取り可能な記憶媒体に格納されて提供されるようになっていてもよいし、あるいは、有線又は無線による通信媒体を介して提供されるものであってもよい。
【００３１】
次に、本実施の形態における画像処理方法について説明する。
＜ログ情報生成処理＞
図５は、本実施の形態におけるログ情報の生成処理を示すフローチャートであり、画像処理装置１０が例えばコピージョブを行う場合の動作フローを示している。
同図において、コピージョブがスタートすると、先ず、画像処理装置１０のＣＣＤセンサ等の画像読取センサを含む画像読取部１４を用いて原稿を走査して得られる画像データと、画像読取部１４に付随する操作部１６からの入力や内蔵タイマ等から処理日時や操作者（ユーザ）等のジョブ属性情報が、例えばジョブ実行部２１を介してログ情報生成部２２の特定情報生成部２６に取得される（ステップＳ００１）。尚、このような画像データ及びジョブ属性情報の取得をプリントジョブにて行う場合には、例えばクライアント端末からの印刷データ（画像データ）を画像処理装置１０の図示外の通信部が受信して、画像データ及びジョブ属性情報を取得するようにすればよい。また、ＦＡＸ送信ジョブを行う場合には、画像読取部１４にて原稿画像を処理して画像データを取得するようにすればよい。
更に、操作者情報の取得は、操作部１６からの入力に限らず、例えば個人毎のＩＤカードを読み取る情報読取機を画像処理装置１０に接続し、これから取得するようにしてもよい。すなわち、操作者の情報を取得できる仕組みがあれば差し支えない。
【００３２】
次に、ログ情報生成部２２の画像データ種別判別部２３では、予め規定された種別判別条件、例えば「承認印の陰影画像」が画像データに含まれているか否かを画像認識手法によって判別し、含まれていると判別した場合には、画像データは漏洩されては困る文書条件に該当するものであり、漏洩されては困る文書が処理された画像データであるとする一方、含まれていないと判別した場合は、漏洩されては困る文書の画像データではないものとする（ステップＳ００２）。
【００３３】
画像データ種別判別部２３にて種別判別条件に該当すると判別された場合には、保存用画像データ生成部２４にて画像データを高解像度又は低圧縮処理した保存用画像データを生成し、ログ情報記憶部２８以外の記憶装置に保存すると共に保存用画像データが特定できる情報（例えば保存用画像データの格納場所及びファイル名等）を生成し、関連付け部２７に転送する（ステップＳ００３）。尚、本例では、保存用画像データをログ情報記憶部２８以外の画像処理装置１０の内部又は外部に接続された他の記憶装置に保存する方式を示したが、これに限られず、ログ情報記憶部２８を併用するようにしても差し支えない。
特に、近年では、画像処理装置での画像入力部（例えば本例の画像読取部１４に相当）や画像形成部（例えば本例の作像部１１に相当）の高解像度化により、処理される画像データは６００ｄｐｉ以上の解像度であることが多く、このまま画像データを保存すると、保存に要する記憶容量が大きなものとなり、容量不足に陥り易い。そのため、本実施の形態では、保存用画像データ生成部２４での高解像度処理を、例えば６００ｄｐｉより低い３００ｄｐｉ程度への変換処理又は低圧縮処理を行うようにして記憶容量の低減を図るようにしている。
【００３４】
また、ステップＳ００２にて種別判別条件に該当すると判別された場合、検索情報生成部２５では、保存用画像データから例えば図４で示したような画像特徴量を算出し、ログ情報記憶部２８以外の記憶装置に保存すると共にこの画像特徴量が特定できる情報（例えば格納場所及びファイル名等）を生成し、関連付け部２７に転送する（ステップＳ００４）。尚、この記憶装置についてもログ情報記憶部２８を併用するようにしても差し支えない。
更に、検索情報生成部２５は、処理された画像データにＯＣＲ処理を行って画像データに含まれるテキスト情報を抽出し、関連付け部２７に転送する（ステップＳ００５）。
【００３５】
一方、ステップＳ００２にて種別判別条件に該当しないと判別された場合、すなわち、情報漏洩されては困る文書ではない文書が処理されたと判別された場合には、保存用画像データ生成部２４では処理された画像データから保存用画像データとして低解像度又は高圧縮処理した画像データを生成し、ログ情報記憶部２８以外の記憶装置に保存すると共にこの保存用画像データが特定できる情報（例えば格納場所及びファイル名等）を生成し、関連付け部２７に転送する（ステップＳ００６）。尚、保存用画像データをログ情報記憶部２８に併用して保存するようにしてもよい。
【００３６】
また、検索情報生成部２５では、ステップＳ００４及びＳ００５と同様に、保存用画像データから画像特徴量を算出し、ログ情報記憶部２８以外の記憶装置に保存すると共にこの画像特徴量が特定できる情報（例えば格納場所及びファイル名等）を生成し、関連付け部２７に転送する（ステップＳ００７）。尚、この記憶装置についてもログ情報記憶部２８を併用するようにしても差し支えない。更に、検索情報生成部２５は、処理された画像データにＯＣＲ処理を行って画像データに含まれるテキスト情報を抽出し、抽出されたテキスト情報に対し、容量低減を図るため、テキスト情報を削減するようにする（ステップＳ００８，Ｓ００９）。この削減処理は、例えば出現頻度の上位数個に限定するなどの処理を行ってテキスト情報を減らすようにしている。
【００３７】
そして、関連付け部２７では、上述したジョブ属性情報、保存用画像データを特定できる情報、画像特徴量を特定できる情報やテキスト情報の検索情報からこれらを相互に関連付けて一つのログ情報を生成し（ステップＳ０１０）、生成されたログ情報がログ情報記憶部２８に記憶蓄積される。
【００３８】
＜ログ情報＞
ここで、ログ情報の具体的作成例について説明する。
図６（ａ）は、本実施の形態のように、生成されるログ情報のデータ容量を低減するようにしたものであり、ユーザＡＡＡＡの指示により日時ｍｍ／ｍｍ／ｍｍに処理された画像データに関するジョブについてのログ情報（第一のログ情報）と、ユーザＢＢＢＢの指示により日時ｎｎ／ｎｎ／ｎｎに処理された画像データに関するジョブについてのログ情報（第二のログ情報）と、ユーザＣＣＣＣの指示により日時ｌｌ／ｌｌ／ｌｌに処理された画像データに関するジョブについてのログ情報（第三のログ情報）とが記憶蓄積されている様子を示している。
【００３９】
ここでは、画像データの文字列に「社外秘」が含まれるかどうかを種別判別条件として予め規定しジョブが実行されたものとする。
ジョブ実行部２１が第一のジョブ（ユーザＡＡＡＡによるジョブ）を実行すると、ログ情報生成部２２では処理された画像データに対し、ＯＣＲ処理を行ってテキスト情報を取得し、画像データに文字列「社外秘」が含まれるか否かを判別する。この第一のジョブの画像データに文字列「社外秘」が含まれている場合、画像データ種別判別部２３が第一のジョブは情報漏洩されては困る画像に対するジョブであると判別し、高解像度の保存用画像データを生成し、このデータの格納先が特定できる保存用画像データ格納情報「画像１」を作成する。また、この保存用画像データから画像特徴量を算出し、「画像特徴量１」を作成する。そして、ジョブを検索するための検索情報であるログ情報検索用データとしてこの「画像特徴量１」と、上述のテキスト情報である「テキスト１、…」とを用いるようになり、ジョブ属性情報と関連付けて一つのログ情報を生成する。
【００４０】
次に、ジョブ実行部２１が第二のジョブ（ユーザＢＢＢＢによるジョブ）を実行すると、同様に処理された画像データに対しＯＣＲ処理を行ってテキスト情報を取得し、画像データに文字列「社外秘」が含まれるか否かを判別する。この第二のジョブの画像データには文字列「社外秘」が含まれていない場合には、第二のジョブは情報漏洩されては困るものではない画像に対するジョブと判別し、保存用画像データとして低解像度の画像データを生成し、この保存用画像データが特定される「画像２」を作成する。また、この低解像度の保存用画像データから算出した画像特徴量である「画像特徴量２」と、ＯＣＲ処理して得られたテキスト情報の一部のテキスト情報、例えば最頻度の１語のみを「テキスト２」としてログ情報検索用データに用いる。
【００４１】
次に、ジョブ実行部２１が第三のジョブ（ユーザＣＣＣＣによるジョブ）を実行すると、ジョブ実行部２１で実行された画像データに対しＯＣＲ処理を施し、テキスト情報を取得して文字列「社外秘」が含まれるか否かが判別される。この第三のジョブの画像データに文字列「社外秘」が含まれていると判別されると、第三のジョブは情報漏洩されては困る画像に対するジョブと判別され、保存用画像データとして高解像度の画像データを生成し、この保存用画像データが特定される「画像３」を作成する。また、保存用画像データから算出した「画像特徴量３」と、ＯＣＲ処理して得られたテキスト情報全て「テキスト３、…」をログ情報検索用データに用いる。
その結果、図６（ａ）に示すような三つのログ情報が得られるようになる。
【００４２】
尚、図中画像種別とは、画像データ種別判別部２３にて予め規定された種別判別条件に該当するか否かの判別結果を示しており、「１」が該当している画像データで「０」が該当していない画像データを意味しているが、これは簡易的に種別を記載したものであり、ログ情報に含まれるものを意図したものではないが、このような種別をログ情報に含めるようにしても差し支えない。
また、保存用画像データの代わりに保存用画像データ格納情報がログ情報に用いられる例を示したが、保存用画像データそのものをログ情報に含めるようにしてもよい。尚、「画像１」、「画像２」、「画像３」と表しているが、これは単に保存用画像データの格納先が特定できるようになっていればよく、ファイル名やＵＲＬなど表現方法を限定するものではない。更に、例えば「テキスト１、…」と表記しているものは、テキスト情報全てを意味し、「テキスト２」とはテキスト情報の一部であることを意味している。
【００４３】
そして、ログ情報としては、図６（ａ）に示すものである必要性はなく、画像データ種別判別部２３の判別結果が分かるような形式であればよく、例えば図６（ｂ）に示すように、保存用画像データ格納情報として、画像ファイル名を直接対応付けるようにしてもよい。ここでは、ファイル名にhighを含んでいるものが図６（ａ）の画像種別「１」に対応し、ファイル名にlowを含んでいるものが図６（ａ）の画像種別「０」に対応する。また、ファイル名に限らず、格納されているフォルダ（ディレクトリ）名などでも差し支えない。
【００４４】
また、図６（ｃ）は、比較のために記載したログ情報を示すものであり、ここでは、画像データの種別に関係なく同一の解像度で生成された保存用画像データ及び同一レベルのログ情報検索用データを用いている。そのため、ログ情報検索用データとしては、画像データの画像特徴量と、画像データを例えばＯＣＲ処理して得られる全てのテキスト情報が用いられていることから、このようなログ情報をそのまま記憶蓄積するようにすると、記憶蓄積すべきデータ量が膨大になってしまう虞がある。
【００４５】
本実施の形態では、このようなログ情報とすることで、ジョブ実行部２１での画像データの処理が実行される毎にログ情報を生成し、生成したログ情報を例えば図６（ａ）のように生成し、これらのログ情報をログ情報記憶部２８に記憶蓄積するようにしても、情報漏洩されては困る画像データではない画像データに対し、保存用画像データ及びログ情報検索用データとして容量を小さくすることでログ情報のための記憶容量増大が抑えられるようになっている。そのため、このようなログ情報を生成することで、ジョブの実行履歴調査を行う際に迅速になされるようになる。
【００４６】
本実施の形態では、ログ情報を生成する際、画像特徴量を保存用画像データから算出する方式を示したが、これに限られず、例えば画像特徴量を元の画像データから算出するようにしても差し支えない。また、ログ情報検索用データとして、画像特徴量及びテキスト情報を示したが、これに限られず、いずれか一方であっても種別可能であればよい。
【００４７】
＜検索処理＞
次に、このようなログ情報を実行履歴情報として有する場合、画像処理装置１０の検索処理部２９にて行われる検索処理について説明する。
ログ情報記憶部２８に記憶蓄積されるログ情報は、実行されたジョブの実行履歴の追跡調査に利用することが想定される。すなわち、ログ情報を利用することで、検索対象（情報漏洩した文書等）と同一画像データと思われるものについて、誰が、いつ、処理したのかどうかがチェックできるようになる。
具体的には、検索対象（情報漏洩した文書等）の元原稿を画像読取部１４にて走査して得られる画像データに対し、ログ情報生成時と同様に、画像特徴量の算出、ＯＣＲ処理等によるテキスト情報の取得を行い、ログ情報記憶部２８に記憶蓄積されているログ情報の画像特徴量と検索対象の画像特徴量の類似度や、テキスト情報の一致度を判断基準として、検索対象と同じ画像データがあるかどうかを判断する。
【００４８】
今、ログ情報記憶部２８に記憶蓄積されているログ情報の中で画像種別が「１」のものが図７のように列記されているものとし、この中で画像特徴量が互いに類似するログ情報として、ユーザＡＡＡＡ、ユーザＤＤＤＤ、ユーザＥＥＥＥがあるものとする。尚、「画像特徴量１」、「画像特徴量１’」、「画像特徴量１’’」は特徴量が類似していることを表現している。
このようなログ情報で、検索対象から得られる画像特徴量が「画像特徴量１」、テキスト情報が「テキスト１、…」、画像データが「画像１」とした場合には、先ず、画像特徴量から検索対象に類似する３個のログ情報（ユーザＡＡＡＡ、ユーザＤＤＤＤ、ユーザＥＥＥＥ）が選択される。次に、テキスト情報から１個のログ情報（ユーザＡＡＡＡ）が選択されるようになる。更に、保存用画像データと検索対象の画像データとが詳細に比較され、これが一致していると判断されると、ユーザＡＡＡＡが日時ｍｍ／ｍｍ／ｍｍに対象文書を処理したことが判明するようになる。
【００４９】
本実施の形態では、情報漏洩されては困る文書の画像データとそうでない画像データとで、ログ情報の生成方法を切り替え、そうでない画像データに対してはデータ容量を小さく記憶するようにしているため、ログ情報検索用データの検索時間が短縮される。一方、情報漏洩されては困る画像データに対しては、高解像度（あるいは低圧縮処理）の画像で保存用画像データを生成しているため、先ず、画像特徴量やテキスト情報によって検索時の粗検索を行い、次に、保存用画像データを用いて詳細検索を行うようにでき、詳細検索までの時間短縮が図れると共に検索時の精度の低下を抑えることも可能になる。更に、検索システムの拡張も容易になる。
また、画像データから得られる検索情報については、技術の進歩や新たな技術の開発などで、例えば、高い精度のＯＣＲ処理技術や画像の峻別精度の高い画像特徴量の算出方式などが実現したときに、それらを適用し、検索情報の更新などを行うようにしてもよいことは云うまでもない。
【００５０】
◎実施の形態２
図８は、本発明が適用された実施の形態の画像処理システムの概略構成を示す。同図において、本実施の形態の画像処理システムは、複数（本例では３台）の画像処理装置３０（３０ａ〜３０ｃ）と、サーバ装置４０と、ＰＣ（パソコン）５０と、これらを接続するための通信手段としてのネットワーク回線６０とで構成されている。
【００５１】
本実施の形態における画像処理装置３０は、実施の形態１の画像処理装置１０と略同様に構成されるが、本実施の形態における画像処理装置３０は、少なくともスキャン機能、コピー機能、プリント機能のいずれか一つ以上の機能を備えるもので、そのため、少なくとも画像読取ジョブ、コピー出力ジョブ、プリント出力ジョブのいずれかの画像データに対する処理を行うジョブの実行機能を備えたものとなっている。また、サーバ装置４０は、夫々の画像処理装置３０（３０ａ〜３０ｃ）に対し、ログ情報の記憶蓄積サービスを提供するものとなっている。そして、ＰＣ５０は、ネットワーク回線６０を介して、画像処理装置３０及びサーバ装置４０に接続され、各種データの授受を行うようになっているが、特に本実施の形態では、ＰＣ５０からの画像データが所定の画像処理装置３０に伝達され、コピー出力等が行えるようになっている。
【００５２】
図９は、本実施の形態における画像処理装置３０及びサーバ装置４０の機能ブロック図を示すもので、画像処理装置３０は、実施の形態１の画像処理装置１０（図２参照）と異なり、制御装置２０内にはジョブ実行部２１、ログ情報生成部２２及び検索処理部２９を備え、ログ情報記憶部４１はサーバ装置４０側に備えている。そのため、ログ情報記憶部４１の容量を大幅に増やすことができるようになっている。更に、本実施の形態では、保存用画像データもサーバ装置４０内に記憶するようになっている。
このような構成においても、実施の形態１と同様のログ情報の生成処理や検索処理を行うことができるようになる。
【００５３】
本実施の形態では、画像処理装置３０にジョブ実行部２１、ログ情報生成部２２及び検索処理部２９を設け、サーバ装置４０にログ情報記憶部４１を設ける構成を示したが、特にこれに限られず、ログ情報生成部２２及びログ情報記憶部４１は、画像処理装置３０あるいはサーバ装置４０のいずれか一方にまとめて設けられるようにしてもよいし、互いに分散して設けるようにしても差し支えない。更には、画像処理装置３０側とサーバ装置４０側とに重複して設けるようにしてもよい。更にまた、複数の画像処理装置３０（３０ａ〜３０ｃ）に分散あるいは重複して設けるようにしても差し支えない。
【００５４】
また、このようなログ情報生成部２２、ログ情報記憶部４１及び検索処理部２９は、画像処理装置３０又はサーバ装置４０のコンピュータが、所定のプログラムを実行することによって実現できることが想定される。その際、このような所定のプログラムは、画像処理装置３０又はサーバ装置４０へのインストールに先立ち、コンピュータが読み取り可能な記憶媒体に格納されて提供されるようになっていてもよいし、あるいは有線又は無線による通信媒体等を介して提供されるものであってもよい。
すなわち、ログ情報生成部２２、ログ情報記憶部４１及び検索処理部２９は、画像処理装置３０又はサーバ装置４０にインストール可能な画像処理プログラムによって実現することが可能であるが、このような画像処理プログラムは、上述の各部の全てを実現するものでなくてもよい。例えば、サーバ装置４０をログ情報記憶部４１としてのみ機能させるようなプログラムであってもよい。
【００５５】
また、本実施の形態では、検索処理自体も画像処理装置３０で行う方式を示したが、検索処理については他の検索専用処理装置で行うようにしても差し支えない。例えば、図示外のスキャナをＰＣ５０に接続し、検索処理部２９の機能をＰＣ５０にて行わせるようにしてもよく、この場合、検索処理用の画像処理プログラムをＰＣ５０にインストールするようにすればよい。あるいは、本実施の形態におけるログ情報記憶部４１に記憶蓄積された情報を記録媒体を介して、ネットワーク回線６０から切り離された検索専用処理装置に供給し、ここで、検索を行うようにしても差し支えない。
【図面の簡単な説明】
【００５６】
【図１】本発明が適用された画像処理装置の実施の形態モデルの概要を示す説明図である。
【図２】本発明が適用された実施の形態１の画像処理装置を示す説明図である。
【図３】実施の形態１の画像処理装置の機能ブロック図である。
【図４】画像特徴量の算出例を示す説明図である。
【図５】実施の形態１のログ情報生成フローチャートである。
【図６】実施の形態１のログ情報に関する模式図であり、（ａ）は実施の形態１のログ情報、（ｂ）は変形例としてのログ情報、（ｃ）は比較例としてのログ情報を示す説明図である。
【図７】類似するログ情報に関する模式図である。
【図８】実施の形態２に係る画像処理システムを示す説明図である。
【図９】実施の形態２の画像処理システムの機能ブロック図である。
【符号の説明】
【００５７】
１…ジョブ実行手段，２…ログ情報生成手段，３…画像データ種別判別手段，４…保存用画像データ生成手段，５…検索情報生成手段，６…特定情報生成手段，７…関連付け手段，８…ログ情報記憶手段
【図１】
2008167025.tif 000003
【図２】
2008167025.tif 000004
【図３】
2008167025.tif 000005
【図４】
2008167025.tif 000006
【図５】
2008167025.tif 000007
【図６】
2008167025.tif 000008
【図７】
2008167025.tif 000009
【図８】
2008167025.tif 000010
【図９】
2008167025.tif 000011